(57)【特許請求の範囲】
【請求項１】
床頭台の背板には天板上に延びる略逆Ｌ字状のテレビスタンドを固設するとともに、
該テレビスタンドの頂部には上下及び左右に回動してテレビ画面の向きを調整する回動装置を介して薄型テレビを設け、
左右の側板の背面側の端縁部を背板より少なくとも前記テレビスタンドの取付部の厚み以上奥行方向に突出させ、
背板には電気機器のファンの位置に対応して空気排出孔を設けることを特徴とするテレビ付き床頭台。
【請求項２】
テレビ画面の向きを調整する前記回動装置は、リモコンで作動することを特徴とする請求項１に記載のテレビ付き床頭台。
【請求項３】
前記回動装置はリモコンの受信部からの操作信号を受けて、テレビ画面の向きを上下方向及び左右方向へモータ駆動により回動させ、該回動する伝達機構は上下方向を駆動するモータとテレビ支持部とはウォーム歯車装置を介して伝動され、テレビ画面の回動作動中にテレビ画面及び枠体に手や指が挟まれた場合に接触負荷を検出してモータ回動作動を停止する安全装置を設けたことを特徴とする請求項２に記載のテレビ付き床頭台。
【発明の詳細な説明】
【技術分野】
【０００１】
本発明は、病院のベッド近傍に配置する床頭台であって、特にテレビが取り付けられたテレビ付き床頭台に関する。
【背景技術】
【０００２】
従来、病院等ではベッド近傍には床頭台が配置され、通常、その床頭台の上部の棚或いは天板にはテレビが載置されており（例えば、特許文献１）、これらのテレビは、回動する回転台に載置され、テレビ画面の左右の向きは人の手によって変えられる。しかし、一番使い勝手のよい棚或いは天板の上面に他の物品や書類等を置けなかった。
このため、天板の下にテレビ吊り下げ部材を取付、このテレビ吊下げ部材に薄型テレビを取り付、テレビの下の棚に物品や書類等を置けるようにした床頭台も開発されている（例えば、特許文献２、３）。
更に、本出願人によって、床頭台にテレビを半固定状態に取り付け、リモコンによりテレビの画面の向きを変えるテレビ装置も開発されている（特許文献４）。
【特許文献１】特許３６８４４２４号公報
【特許文献２】特許２９１４５６８号公報
【特許文献３】特許３７８０３７８号公報
【特許文献４】特願２００６−２９０４４５号
【発明の開示】
【発明が解決しようとする課題】
【０００３】
従来の特許文献２．３等の天板の下にテレビを吊り下げるタイプの床頭台は、一番使い勝手のよい棚、或いは天板上の全面が平坦なので、天板上に治療器具等の物品や書類等を置くことはできるが、天板の構造を強固にする必要があり、特に、床頭台設置のテレビとしては比較的大型の１７インチ以上の大型テレビを吊り下げるとなると、かなりの強度が必要となり、特に、木製の床頭台の天板構造では強度的に構成上無理であった。
また、通常の木製の床頭台ではテレビの背面に位置する背板が大きくなって視界を遮り、ベッドに寝ている患者等に圧迫感を与えてしまうといった問題点があった。
さらに、従来の床頭台の背面には、冷蔵庫等の電子機器類のコードが引き出されており、このコード類が存在するため床頭台を壁側に密着できず部屋のレイアウトも整然とすることができないといった問題点があり、仮に、床頭台を壁側に密着できても、コード類を無理に屈曲させて痛めたり、また、冷蔵庫等の電子機器類の背面にある放熱ファンの送風が行き場を失ってしまうといった問題点もあった。
【０００４】
ところで、病院のベッド近傍に配置する床頭台には通常テレビが載置されるが、患者自身は起きられない場合が多く、看護士や付添人にテレビ画面の向きを調整してもらうが、患者自身で調整するのは困難である。特に、液晶の薄型テレビ等が近時普及しているが、この液晶テレビは画面の向きで見やすさが異なるので、見る位置毎にテレビの画面の方向を頻繁に調整する必要があり、特に、床頭台設置のテレビとしては比較的大型の１７インチ以上の大型テレビの位置調整となると患者だけでなく病院側にとっても煩わしい問題であった。
また、近時薄型テレビも大型化し、例えば、画面が１７インチ以上の大型テレビとなると薄型であっても重量もあり、特許文献３のような、１７インチ以下の小型のテレビの回動は通常の容量の小さなＤＣモータでも可能であったが、重量のある大型テレビの画面調整の駆動には無理があり、大型テレビの画面向き調整の回動駆動にはＡＣ同期モータ等を使用しなければ余裕のある駆動が出来ない。
ところで、このような大型テレビの向き調整用に大型モータを使用するとなると、テレビ自体が大きく駆動力も大きいことから、体力が弱い患者の身体が何かの物に手首や指が挟まれたりするという不測の事故が生じかねない。更に、重量のある大型テレビを駆動となると、静止状態にした場合に、左右（水平）方向の回動では問題がないが、上下方向の回動では、モータの停止時にはテレビの自重により自重の加わる方向に自然に回動してしまうという問題があり、このような問題点や経費が嵩むことから、従来、床頭台の大型テレビの載置において、リモコンによるテレビ画面の向きの調整は行っていなかった。しかも、病院の床頭台に設置されるテレビも、高齢者が画面の字を読む場合等の不便さから、大型テレビの設置が要望されるようになってきた。
また、近年、ベッド自体電動で上下動し、それに伴って患者のテレビを見る角度も頻繁にかわり、その都度、手でテレビの画面の向きを調整する必要があり、特に、液晶画面は見る角度によって明るさが変わるので、向きの調整は頻繁に行わなければならいという問題点があった。
【０００５】
本発明は、このような問題点に鑑みてなされたもので、病院のテレビ付き床頭台において、無理なく大型テレビを設置することができ、テレビの下の天板上に物品や書類等を置くことでき、テレビの他に視界を遮ることがなく、床頭台の背面を壁に密着することができるとともに、床頭台内に設置する冷蔵庫等の放熱ファンからの送風を局部的に停留させることがないテレビ付き床頭台を提供するものである。
また、床頭台に設置する大型テレビは、ベッド自体が上下して患者のテレビを見る角度が変わっても、テレビ画面の向きを寝たままで患者自身が調整することができ、且つ、簡単に調整操作することができ、更には、病院に設置することから、患者の手や指が挟まれることがないように、安全性が十分に確保されたリモコンによる操作可能なテレビ付き床頭台を提供するものである。
【課題を解決するための手段】
【０００６】
上記の課題を解決するために、請求項１の発明は、テレビ付き床頭台において、床頭台の背板には天板上に延びる略逆Ｌ字状のスタンドを固設するとともに、該略逆Ｌ字のスタンドの頂部には上下及び左右に回動してテレビ画面の向きを調整する回動装置を介して薄型テレビを設け、左右の側板の背面側の端縁部を背板より少なくとも前記スタンドの厚み以上に奥行き方向に突出させ、背板には電気機器のファンの位置に対応して空気排出孔を設けることを特徴とする。
請求項２の発明は、請求項１に記載のテレビ付き床頭台において、テレビ画面の向きを調整する前記回動装置は、リモコンで作動することを特徴とする。
請求項３の発明は、請求項２に記載のテレビ付き床頭台において、前記回動装置はリモコンの受信部からの操作信号を受けて、テレビ画面の向きを上下方向及び左右方向へモータ駆動により回動させ、該回動する伝達機構は上下方向を駆動するモータとテレビ支持部とはウォーム歯車装置を介して伝動され、テレビ画面の回動作動中にテレビ画面及び枠体に手や指が挟まれた場合に接触負荷を検出してモータ回動作動を停止する安全装置を設けたことを特徴とする。
【発明の効果】
【０００７】
本発明のテレビ付き床頭台によれば、病院のテレビ付き床頭台において、１７インチ以上の比較的大型のテレビを無理なく設置することができるとともに、テレビの下の天板の全面に物品や書類等を置くことでき、テレビの他に視界を遮ることがなく、床頭台の背面を壁に密着することができるとともに、床頭台内に設置する冷蔵庫等の放熱ファンからの送風を局部的に停留させることがない。
また、床頭台に設置される大型テレビでも画面の向きを、患者がベッドで寝たままで調整することができ、且つ、高齢者であっても簡単に操作することができ、更には、病院に設置することから、患者の手や指が挟まれることがなく、安全性を十分に確保できる。また、ベッド自体が電動で上下動して患者のテレビを見る角度が頻繁に変わっても、患者が寝たままで簡単にテレビの画面の向きを調整することができ、液晶画面が患者の見る角度によって明るさが変わることにも即座に対応することができる。
【発明を実施するための最良の形態】
【０００８】
ここで、本発明に好適なテレビ付き床頭台の実施例を、図面に沿って説明する。
［床頭台］
先ず、床頭台１本体の概略を説明すると、 図１は床頭台の全体の斜視図、図２は図１の右側面図、図３は図１の背面図、図４は上方からの平面図、図５は背面からの部分斜視図である。
図１、図２に示すように、病院等の患者のベッドの近傍に配置する床頭台１の背板１２に略逆Ｌ字状のテレビスタンド３が取り付けられ、このテレビスタンド３の頂部314の固定プール部313には１７インチ以上の比較的大型の薄型テレビ２が上下及び左右に回動する回動装置３３を介して取付され、天板１１の上方に位置している。
天板１１の上面は広いスペースが確保され、前方側を除いて、左右の側板131，132の上端部が上方に若干突出し、ほぼ同じ高さで背板１２の上端部も上方に若干突出しているので、天板１１に物品や書類等を置いても、後ろや側部から落下することがない。
図１、図４に示すように、床頭台１の左側板131及び右側板132のそれぞれ端縁部1311、1321を背板１２より少なくともテレビスタンド３の取付部である中空支柱３１及び取付板311の厚みＸ(図３)以上に奥行方向に突出させている。また、図３、図５に示すように、背板１２には冷蔵庫８等の電気機器のファンＦの位置に対応して空気排出孔１２１が、図１に示すように、テレビ操作部（チューナー）９やカードリーダー７との連結コードや電源コードを出入孔122や、吹抜け孔123が設けられている。
なお、本実施例の床頭台１は、通常の床頭台と同様に、中間棚112や金庫等を収納する引き出し113や、底板１４が設けられ、底板１４の４隅の底にはキャスター１５（図１、図２参照）が設けられて移動を容易にしている。
【０００９】
［薄型テレビ］
このテレビスタンド３の中空支柱３１の頂部314の固定ポール313に薄型テレビ２を取付けるが、この薄型テレビ２の外枠は、病院内で使用することから、外枠２１の角部は全て大きな曲率半径Ｒの曲面として、身体が当たっても思わぬ怪我をしないような形状にしており、大型薄型テレビ２の前面もディスプレイ部２２の下の操作部の単純化しており、下部の細長い部分は中央にイヤホーンジャック２３とON／OFFランプ２４と左側近傍に病院案内の押しボタンスイッチ２５と右側近傍にリモコン受信部２６と左右にスピーカー２７が配置されているだけである。
ディスプレイ部２２の背面部２８には、ワイヤレスリモコンにより左右・上下方向にテレビ２の本体が回動する比較的大型の薄型テレビの向きを調整するテレビスタンド３が取り付けられている。
【００１０】
［テレビスタンド」
テレビスタンド３の支柱３１は、図６に示すように、主に、水平に維持する水平部31Aと垂直に立つ垂直部31Bと両部を連結する湾曲部31Cから構成される中空鉄製の略逆Ｌ字状で、薄型テレビ２は水平部31Aの先端の頂部314に取り付けられるが、頂部314・固定ポール313と薄型テレビ２との間にはテレビ取付部３２を有する回動装置３３を介して取り付けられ、中空支柱３１の他方の垂直部31Bの開口を有する下端部分316には床頭台１の背板１２に取り付ける取付板311が固着されており、垂直部31Bの中間部分に補助固定部材312が設けられる。
取付板311の複数の適所（６箇所）には取付孔311aが設けられ、ボルト3111で背板１２に固定し、同様に補助固定部材３１２の両側に取付孔312aが設けられ、ボルト3121で背板１２に固定する。
図６、図７に示すように、テレビ取付部３２をディスプレイ部２２の背面部２８にボルト323で固定する。
中空支柱３１とテレビ取付部３２との間には、大型テレビ２を回動するための回動装置３３が介在し、支柱３１に直角に固定ポール部313が設けられ、固定ポール部313には回動装置３３の枠体333内にはモータが収納され、それによって回転する支持軸331(図８)を介して左右方向に回動可能に接続され、回動装置３３の両側部から突出した上下方向に回動可能な駆動軸332にはテレビ取付部３２が取付されている。
図８に示すように、この駆動軸332の両端には一対の取付金具321が固着され、この取付金具321の拡大端部には一対の取付孔322が設けられ、大型テレビ２の背面部２８に設けられた国際規格の雌ネジ孔281が４箇所に設けられ、ボルト323を前記取付孔322に挿入して前記雌ネジ孔281に縲合して固定する。
【００１１】
なお、符合C1は電源やテレビ２からのリモコン信号と接続する接続コードであり、中空支柱３１の水平部31Aの下側適所に設けられた開口315から中空支柱３１の中空孔に挿入され、図５に示されたように、支柱３１の下端部分316の開口から導出し、この接続コードC2は出入孔122から床頭台１のテレビ操作部（チューナー）９に接続し、更に、出入孔122からテレビ操作部（チューナー）９の電源コードC3等は床頭台１の底板１４の下から外部に導出されＡＣプラグP1が壁Ｗ(２点鎖線)の適所のコンセントW1に接続する。同様に、床頭台に収納される冷蔵庫８等の電気機器の電源コード（接続コード）C4のプラグP2は、図４に示すように、床頭台１の横巾内にあるコンセントW2に接続するが、この場合には、プラグP2が外れることが防げ、電源コードC4やプラグP2やコンセントW2が外から見えずスッキリ整理された外観となる。勿論、底板１４の下から外部に導出して壁Ｗの適所のコンセントＷ１に接続するようにしてもよい。
【００１２】
回転駆動部３３の内部は、図８、図９に示すように、左右方向に回動するモータＭ１(34)と上下方向に回動可能なモータＭ２(35)が配置されている。駆動する対象が重量のある大型で薄型テレビであることから、ＤＣモータではなく、大容量コンデンサーで位相を反転することができるＡＣ同期モータ（ＡＣリバーシブルモータ）を使用して十分な駆動力を得ている。
左右方向に回動するモータＭ１（34）は、後述するリモート受信信号によって駆動されるが、歯車列341によって最終歯車3411が減速回転されて固定された支持軸331に接続し、支持軸331が固定ナット3131で中空支柱３１に固定される。
したがって、固定ナット3131で固定ポール部313を中空支柱３１に固定されているので、相対的に回転駆動部３３が左右に回動する。回動範囲は最終歯車3411に設けられたストッパー突起343が設けられ、左右の回動範囲の端にはリミットスイッチＳＷ１（3431）、ＳＷ２（3432）を設けてストッパー突起343を作動させモータＭ１の電源を切断し、Ｍ１の回転を止める。
上下方向に回動するモータＭ２（35）は、後述するリモート受信信号によってモータ制御回路４(図10)を介して駆動され、モータ軸351の回転をウォーム歯車装置352によってテレビ画面の上下方向の駆動に変換して駆動軸332を上下方向に回動させている。また、平歯車3522にはストッパー突起354が設けられ、上下の回動範囲の端にはリミットスイッチＳＷ３（3541）、ＳＷ４（3542）を設けてストッパー突起354を作動させモータＭ２（35）の電源を切断し、モータＭ２（35）の回転を止める。
【００１３】
［ウォーム歯車装置］
ここで、ウォーム歯車3521に対応する平歯車3522と組み合わせたウォーム歯車装置352を用いるのは、ウォーム歯車装置352は二軸が互いに直角をなす歯車で、モータＭ２（35）の軸にはネジ状の歯車（ウォーム）3521が、テレビ回動の駆動軸332の歯車（ウォームホイール）3522に噛み合い、モータ軸351の回転数に比べて駆動軸332の回転数は極端に少なく、逆転不能であるからであり、モータＭ２の回転が停止した後に、薄型テレビ２の自重によって自然に回転するのを阻止するためである。
【００１４】
［モータ制御回路・安全装置の回路］
本実施例は、薄型テレビではあるが画面対角線の長さが２１、或いは、２３インチで重量が５Kg程度もある大型テレビを使用するもので、この大型テレビ２を支持して回動するテレビスタンドに用いるモータはスペースも制限があるとなると、通常の駆動力の小さなＤＣモータでの駆動は困難で、本実施例では大容量コンデンサーで位相を反転することができるＡＣ同期モータを用いており、このモータＭ１（34）、モータＭ２（35）の駆動を制御するモータ制御回路が必要となり、このモータ制御回路はリモコン信号発信器からの操作信号を、大型テレビ２の前面に設けたリモコン受信部２６で受信して、この信号に基づいて、モータＭ１（34）、モータＭ２（35）の駆動を制御する。また、このように、テレビ自体が大きく回動する駆動力も大きいことから、体力が弱い患者の身体（手、指）がテレビ２の枠体等と他の何かの物に挟まれ怪我をするという不測の事故が生じかねないので、それを感知して直ちにモータ駆動を停止する安全装置が必要になる。
図１０を用いて、前記モータ制御回路４、安全装置の回路５を説明するが、 図１０は本実施例のモータ制御回路４と安全装置５の構成を簡略化して作動の概略を表した回路である。
電源はＡＣ１００Ｖの商用電源で、トランスＴによって一端はアースされ、他端はモータ駆動の２４Ｖと回路用電源の８Ｖに減圧され、８Ｖ端はダイオードＤ１によってＤＣとなり、一部は可変抵抗ＶＲ１〜４に供給され、一部は定電圧素子Ｕ２によってＤＣ５Ｖに整流されてモータ制御回路が組み込まれた集積回路（ＩＣ）素子Ｕ１に供給される。
【００１５】
［左右・上下の駆動制御］
一方、モータ駆動の２４Ｖ端は、左右方向回転駆動用のモータＭ１（34）と、上下方向回転駆動用のモータＭ２（35）に接続される。
左右方向駆動モータＭ１（34）について説明すると、モータＭ１（34）の右回転端子（右）と左回転用端子（左）にトライアックＱ１、Ｑ２とリミットスイッチＳＷ１（3431）、ＳＷ２（3432）を介して接続されており、トライアックＱ１、Ｑ２の制御端であるゲートはそれぞれ集積回路素子Ｕ１の端子３、４に接続されている。
また、上下方向駆動モータＭ２（35）について説明すると、モータＭ２（35）の上(右回転)回転端子と下(左回転)回転用端子にトライアックＱ３、Ｑ４とリミットスイッチＳＷ３（3541）、ＳＷ４（3542）を介して接続されており、トライアックＱ３、Ｑ４の制御端であるゲートはそれぞれ集積回路素子Ｕ１の端子５、６に接続されている。
【００１６】
［左右方向の制御］
今、図１１に示すリモコン６の操作ボタンのテレビ向きの（右）ボタン６１を押すと、リモコンからの操作送信信号がリモコン受信部２６で受信され、その信号がモータ制御回路４の端子Ｓ１、Ｅに入力され、増幅器ＡＰ１で操作信号が増幅されて集積回路素子Ｕ１の端子１，２に入力される。この信号に基づいて集積回路素子Ｕ１ではモータ駆動信号（閉信号）を端子３からトライアックＱ１のゲートに出力し、トライアックＱ１は通電状態となってモータＭ１を右回転駆動可能状態となり、テレビ２が右方向に振り切っていなければリミットスイッチＳＷ１（3431）は閉状態の通電状態であるから、モータＭ１(34)にはＡＣ２４Ｖが供給され右回転を開始する。また、（右）ボタン６１を離せば、リモコン６からの操作信号が途絶えるから、モータ制御回路４の端子Ｓ１、Ｅにも信号が途絶え、集積回路素子Ｕ１の端子３からトライアックＱ１のゲートに開信号を出力し、トライアックＱ１は開放状態となり、モータＭ１（34）の右回転を停止する。こうして、薄型テレビ２の画面の向きの前面に対する右向きの角度が調整できる。
逆に、リモコン６の操作ボタンのテレビ向きの（左）ボタン６２を押すと、同様に集積回路素子Ｕ１では端子４からリモコン６の操作信号によるモータ駆動信号（閉信号）をトライアックＱ２のゲートに出力し、トライアックＱ２は通電状態となってモータＭ１を左回転駆動が可能状態となり、テレビ２が左方向に振り切っていなければリミットスイッチＳＷ２（3432）は閉状態の通電状態であるから、モータＭ１（34）は左回転を開始し、リモコン６の（左）ボタンを離せば左回転を停止する。こうして、薄型テレビ２の画面の向きの前面に対する左向きの角度が調整できる。
【００１７】
［上下方向の制御］
次に、テレビ画面の上下向制御について説明するが、大型テレビ２は重量があることから、上下方向回転駆動用のモータＭ２（35）は左右方向回転駆動用のモータＭ１（34）に比べて馬力があり大型である。
操作方法は、左右方向の制御と同様で、図１１に示すリモコン６の操作ボタンのテレビ向きの（上）ボタン６３を押すと、リモコンからの操作信号がリモコン受信部２６で受信され、その信号がモータ制御回路４の端子Ｓ１、Ｅに入力され、増幅器ＡＰ１で操作信号が増幅されて集積回路素子Ｕ１の端子１，２に入力される。この信号に基づいて集積回路素子Ｕ１ではモータ駆動信号（閉信号）を端子５からトライアックＱ３のゲートに出力し、トライアックＱ３は通電状態となりモータＭ２は駆動可能状態となり、テレビ２が上方向に振り切っていなければリミットスイッチＳＷ３（3541）は閉状態の通電状態であるから、モータＭ２（35）にはＡＣ２４Ｖが供給され上(右)回転を開始する。また、（上）ボタン６３を離せば、モータ制御回路４の端子Ｓ１、Ｅの信号が途絶え、集積回路素子Ｕ１の端子５からトライアックＱ３のゲートに開信号を出力し、トライアックＱ３は開放状態となり、モータＭ２（35）は上回転を停止する。こうして、薄型テレビ２の画面の向きの前面に対する上向きの角度が調整できる。
逆に、リモコン６の操作ボタンのテレビ向きの（下）ボタン６４を押すと、同様に集積回路素子Ｕ１ではリモコン６の操作信号から、トライアックＱ４のゲートに閉信号を出力し、トライアックＱ４は通電状態となり、テレビ２が下方向に振り切っていなければリミットスイッチＳＷ４（3542）は閉状態の通電状態であるから、モータＭ２（35）は下(左)回転を開始し、リモコン６の（下）ボタンを離せば下回転を停止する。こうして、薄型テレビ２の画面の向きの前面に対する下向きの角度が調整できる。
【００１８】
［安全装置］
前述したように、テレビ自体が大きく、また、回動する駆動力も大きいことから、体力が弱い患者の身体（手、指）がテレビ２の枠体等と他の何かの物に挟まれ怪我をするという不測の事故が生じかねないので、それを感知して直ちにモータ駆動を停止する安全装置が必要であるが、本実施例ではモータＭ１，Ｍ２のＡＣ電源の供給回路に過電流検出回路を設け、少しでも通常よりも大きな電流が流れた場合には、患者の手や指に当たったものとして、直ちにモータＭ１，Ｍ２の電源を遮断するように構成している。この過電流検出回路は、通常の電源回路のようにモータや電子部品を保護するものではなく、患者の安全を確保するものであるから、閾値（シュレショルド値）は低くして少しの過電流でも反応するように、感度を高くする点で、通常の保護回路での過電流検出回路とは目的・作用・効果が異なるものである。
【００１９】
この安全装置である過負荷検出回路５を、図１０の回路図で説明すると、モータの電源ＡＣ２４Ｖの一端（アース側）ＥとモータＭ１（34）とモータＭ２（35）の共通接続端子ＣとのＡ，A1（c）間に、低抵抗であるシャント抵抗Ｒ１を直列に接続しモータの電流変化を電圧変化とする。この際、モータ供給電源は交流ＡＣ電源であることから分流分は直流ＤＣに変換して電圧変化を検知している。このため、ツュナーダイオードＤ２と抵抗Ｒ３とを直列にしてシャント抵抗Ｒ１と並列に接続して分流させ、過電流検出回路51を構成したもので、ツュナーダイオードＤ２と抵抗Ｒ３との接続部分に抵抗Ｒ２を介してモータの電流変化を感知したもので、端子Ｂ１とＥとにはモータＭ１、Ｍ２の電流変化に対応したＤＣの検出電圧値Ｖ１が出力される。
この検出電圧値Ｖ１の変化に基づいて、過電流であることを感知すると、モータＭ１（34）とモータＭ２（35）の電源を遮断するが、そのために、検出電圧値Ｖ１はモータ制御回路が組み込まれた集積回路（ＩＣ）素子Ｕ１の端子１２に入力され、集積回路（ＩＣ）素子Ｕ１では過電流と認識する基準値は使用するモータＭ１（34）とモータＭ２（35）とは定格がそれぞれ異なることから可変抵抗ＶＲ１〜４でそれぞれの基準値を設定し、所定の基準値を超えた検出電圧値Ｖ１を検出した場合は、端子３〜６のトライアックＱ１〜Ｑ４に対応するのゲートに開信号を出力し、トライアックＱ１〜Ｑ４は開放状態となり、モータＭ１（34）、Ｍ２（35）の回転は停止し、それ以上に患者の手や指を挟まないように安全を確保するものである。
なお、本実施例では安全装置は、モータ過電流検出を検知してモータを停止させているが、タッチセンサーで手・指がテレビ２に触れたのを検知しモータを停止させるようにしてもよい。
このように、大型の薄形テレビ２の重量に加え、薄型テレビ２用の回動装置３３もかなりの重量を有するので、テレビスタンド３は、十分な安定性が、十分な強度が要求される。このためににも、本実施例の床頭台１の背板１２に固着する略逆Ｌ字状のテレビスタンド３は有効である。
【００２０】
［リモコン送信機］
図１１に本実施例のワイヤレスリモコン送信器６を示すが、病院の床頭台では、高齢者や体力の弱った患者が使用することから、細かな操作ボタンは排除し可能な限り単純化し、チャンネル操作等のテレビ操作ボタンとテレビ画面調整ボタンとを一体化して単純化したものである。
このリモコン送信機は、通常より大きな面積の電源ボタン６５、上下のチャンネル操作ボタン６６、＋−のオンリョウ（音量）操作ボタン６７が配置され、映像されている画面が何であるかを表示する表示ボタン６８と、所定時間経過後にテレビの電源を遮断するおやすみタイマーボタン６９が配置され、通常のリモコンと異なるのは、テレビの向きを操作するボタンが配置されていることであり、前述のテレビの向きを右向きに操作する（右）ボタン６１、左向きに操作する（左）ボタン６２、上向きに操作する（上）ボタン６３、下向きに操作する（下）ボタン６４を配置している。
テレビ２の本体の操作ボタンもリモコン操作と重複しないように、病院の施設や種々の案内を表示する、病院案内ボタン２５が配置されているだけである。
【００２１】
［作用］
本実施例のテレビ付き床頭台１の背面側は、図３、図４に示すように、背板１２には天板１１上に延びる略逆Ｌ字状のテレビスタンド３を固設して、テレビスタンド３の頂部314には回動装置３３を介して薄型テレビ２を設けることによって、重量のある１７インチ以上の比較的大型テレビ及びリモコン対応の回動装置を強固で安定した状態で取り付けることができる。また、テレビスタンド３の取付板311は、床頭台１の面積の広い背板１２にボルトで固定するだけなので、作業も容易で簡単に固定できる。また、必要に応じて取付板311から離れた位置に補助固定部材312でテレビスタンド３を支持・固定できるので、かなりの重量にも耐えうる固定構造とすることができる。
かつ、床頭台１の左右の側板131，132における背面側の端縁部1311，1321を、背板より少なくともテレビスタンド３の中空支柱３１や取付板311等の取付部の厚み以上（Ｘ以上）に奥行方向に突出させたものである。
したがって、重量のある薄型テレビ２を支持しうるテレビスタンドが取付可能であるとともに、床頭台１を壁Ｗに密着させても、厚みのある取付部が壁Ｗに当たることがない。
同様に、図６に示されるように、リモコン信号と接続する接続コードを水平部31Aの開口315から中空支柱３１の中空孔内に挿入して、中空支柱３１の下端部分316の開口から導出し、この接続コードC2は出入孔１２２から床頭台１のテレビ操作部（チューナー）９に接続しているので、コードが外に出ることがなく切断等を防ぐことができ外観的にも綺麗でスッキリとすることができる。また、床頭台１の背面から出るコード(C1〜C4）類を無理に屈曲(直角)させる必要がないのでコード類を痛めることがない。
【００２２】
また、床頭台１を壁Ｗに密着させても、出入孔１２２からテレビ操作部（チューナー）９の電源コードC3等は、床頭台１の底板１４の下から外部に導出されＡＣプラグP1が壁Ｗの適所のコンセントW1に接続し、或いは、床頭台に収納される冷蔵庫８等の電気機器の電源コード（接続コード）C4のプラグP2は、図４に示すように、床頭台１の横巾内にあるコンセントW2に接続することができるので、スッキリ整理された外観となる。
更に、背板１２には冷蔵庫８等の電気機器のファンＦの位置に対応して空気排出孔121を設けたので、床頭台１を壁Ｗに密着させても、端縁部1311，1321を設けたので、背板１２の上下方向に取付部の厚み以上（Ｘ以上）の隙間が形成されるので、排気は図４、図５の点線矢印A1，A2に示すように流れ、暑い空気が局部的に貯留することがなく、ファンＦからの放熱空気をスムースに外部に排出することができ、暑い空気が床頭台１内に停留することがない。なお、空気排出孔121とはファンＦからの放熱空気が床頭台の外部に排出空間(孔)を意味し、本実施例の図３、図５に示すように、背面に吹き抜け孔123等の空間部分がある場合には、ファンＦに対応する閉鎖部分に半円状の空気排出孔121としてもよい。
【００２３】
また、薄型テレビ２の支持として、背板１２に天板１１上に延びる略逆Ｌ字状のテレビスタンド３を用いたので、天板１１上の全面を平坦にすることができ、天板１１上に多くの書類や治療器具等の物品を載置することができる。薄型テレビ２の背面側には背板が存在しないので、薄型テレビ２の背面の天板上にも物を置くことができ、それをそれを取り上げることも容易となる。
また、薄型テレビ２の背面は、支柱３１があるだけなので、従来のような、高い位置の天板や背板がなく、視界を遮るものが少なく、使用者にとって圧迫感がなく、デザイン的にもスッキリし綺麗な床頭台１となる。
【００２４】
更に、本実施例のテレビ付き床頭台は、床頭台１に設置される１７インチ以上の比較的大型テレビの画面の向きを、患者がベッドで寝たままで調整することができ、且つ、高齢者であっても簡単に操作することができ、更には、病院に設置することから安全性が十分に確保され、テレビの操作部も単純であり、ワイヤレスリモコン送信器も単純であり、チャンネル操作の他にテレビ画面の向き調整ボタンを一体化したもので紛失する機会を少なくする等の利点がある。
なお、本発明の特徴を損なうものでなければ、上記の実施例に限定されるものでないことは勿論である。
【図面の簡単な説明】
【００２５】
【図１】本発明の実施例の床頭台１の全体の斜視図、
【図２】図１の右側面図、
【図３】図１の背面図、
【図４】図１の上方からの平面図、
【図５】図１の背面からの部分斜視図、
【図６】本発明の実施例のテレビスタンド３の斜視図、
【図７】図１のテレビスタンド３に薄型テレビ２を取り付けた状態の側面図、
【図８】本発明の実施例の回動装置の分解斜視図、
【図９】図３の回動装置の拡大部分断面図、
【図１０】本発明の実施例のモータ制御回路と安全装置の構成を簡略化した回路図、
【図１１】本発明の実施例に使用するワイヤレスリモコン送信器の外観正面図である。
【符号の説明】
【００２６】
A1，A2…ファンからの排気の流れ、C1〜C4…コード、P1，P2…ＡＣプラグ、
W…壁、W1，W2…コンセント、Ｘ…端縁部の巾、
１…床頭台、１１…天板、112…中間棚、113…引出し、１２…背板、
121…空気排出孔、122…出入孔、123…吹抜け孔、131…左側板、
132…右側板、1311，1321…端縁部、１４…底板、１５…キャスター、
２…薄型テレビ、２１…外枠、２２…ディスプレイ部、
２３…イヤホーンジャック、２４…ON／OFFランプ、
２５…病院案内の押しボタンスイッチ、２６…ワイヤレスリモコン受信部、
２７…スピーカー、２８…背面部、281…雌ネジ孔
３…テレビスタンド、３１…中空支柱、31A…水平部、31B…垂直部、
31C…湾曲部、311…取付板、311a、312a…取付孔、3111，3121…ボルト、
312…補助固定部材、313…固定ポール部、3131…固定ナット、
314…頂部、315…開口、316…下端部分、
３２…テレビ取付部、321…取付金具、322…取付孔、323…ボルト、
３３…回動装置、331…支持軸、332…駆動軸、333…枠体、C1…接続コード
３４…モータＭ１、341…歯車列、3411…最終歯車、342…出力軸、
343…ストッパー突起、3431…リミットスイッチＳＷ１、
3432…リミットスイッチＳＷ２、３５…モータＭ２、351…モータ軸、
352…ウォーム歯車装置、3521…ウォーム歯車、3522…平歯車、
354…ストッパー突起、3541…リミットスイッチＳＷ３、
3542…リミットスイッチＳＷ４、  
４…モータ制御回路、
５…過負荷検出回路（安全装置）、５１…過電流検出回路、
６…ワイヤレスリモコン送信器、６１〜６４…テレビ向き操作ボタン、
６５…電源ボタン、６６…チャンネル操作ボタン、６７…音量操作ボタン、
６８…画面表示ボタン、６９…タイマーボタン、
７…カードリーダー、８…冷蔵庫、９…テレビ操作部（チューナー）
【図１】
0004549374.tif 000002
【図２】
0004549374.tif 000003
【図３】
0004549374.tif 000004
【図４】
0004549374.tif 000005
【図５】
0004549374.tif 000006
【図６】
0004549374.tif 000007
【図７】
0004549374.tif 000008
【図８】
0004549374.tif 000009
【図９】
0004549374.tif 000010
【図１０】
0004549374.tif 000011
【図１１】
0004549374.tif 000012